(57)【特許請求の範囲】
【請求項１】
ユーザ操作を受けて開閉体の動作を指示する操作指示信号を出力する操作指示手段と、  上記操作指示手段を含む周辺装置から与えられた入力信号に基づいて上記開閉体の動作を制御する動作制御手段と、
上記動作制御手段が上記操作指示手段からの上記操作指示信号が示す動作を無効にしたときに、上記動作制御手段に入力した信号の入力組合せ情報を記憶する入力情報記憶手段と
を備えることを特徴とする開閉装置。
【請求項２】
上記入力情報記憶手段が、予め定められた入力信号の１又は複数の入力組合せ情報を有し、上記周辺装置からの入力信号の組み合わせが上記各入力組合せ情報に一致する場合に、その一致する入力組合せ情報を記憶することを特徴とする請求項１に記載の開閉装置。
【請求項３】
上記入力情報記憶手段の上記各入力組合せ情報は、ある上記開閉体に対する動作指示と、その動作指示を制限するより優先順位が高い動作指示との信号入力関係を示す情報であることを特徴とする請求項２に記載の開閉装置。
【請求項４】
上記入力情報記憶手段の上記入力信号の入力組合せ情報を記憶する記憶部が脱着可能なものであることを特徴とする請求項１〜３のいずれかに記載の開閉装置。
【請求項５】
操作指示手段が、ユーザ操作を受けて開閉体の動作を指示する操作指示信号を出力し、
動作制御手段が、上記操作指示手段を含む周辺装置から与えられた入力信号に基づいて上記開閉体の動作を制御し、
入力情報記憶手段が、上記動作制御手段が上記操作指示手段からの上記操作指示信号が示す動作を無効にしたときに、上記動作制御手段に入力した入力信号の入力組合せ情報を記憶する
ことを特徴とする開閉方法。
【請求項６】
コンピュータに、
ユーザ操作を受けて開閉体の動作を指示する操作指示信号を出力する操作指示手段を含む周辺装置から与えられた入力信号に基づいて上記開閉体の動作を制御する動作制御手段、
上記動作制御手段が上記操作指示手段からの上記操作指示信号が示す動作を無効にしたときに、上記動作制御手段に入力した入力信号の入力組合せ情報を記憶する入力情報記憶手段
として機能させることを特徴とする開閉プログラム。
【発明の詳細な説明】
【技術分野】
【０００１】
本発明は、開閉装置、開閉方法及び開閉プログラムに関し、例えば、シャッター、ドア、窓、オーバーヘッドドア、門扉、ゲート（駐車場などのゲート）、ロールスクリーン（例えば遮光幕）、ブラインド、オーニング装置などの開閉装置で、その開閉動作の記録を、ログとして残す場合などに適用して好適なものである。
【背景技術】
【０００２】
特許文献１には、従来の開閉システム（特にシャッターシステム）の開閉動作の制御システムに関する技術が開示されている。
【０００３】
例えば、電動式の開閉システムは、開動作、閉動作等を指示する操作スイッチをユーザが押下すると、開閉体（例えばシャッター等）の動作を制御する制御部に操作指示信号が与えられる。そうすると、操作指示に従って制御部が動力源（例えばモータ等）を制御し、開動作、閉動作、停動作を実現している。
【０００４】
【特許文献１】特開２００２−２７６２４５号公報
【発明の開示】
【発明が解決しようとする課題】
【０００５】
ところで、上述した電動式開閉システムでは、ユーザが指示した通りに開閉体が開閉動作しないというような不具合が発生することがある。
【０００６】
従来、このような不具合が生じた場合、要請を受けた保守者が開閉システムを保守、点検することとになるが、保守者が不具合発生の原因を特定することは容易でない。特に、一旦は不具合が生じたものの、その後の保守作業時には開閉体が正常に動いている場合があり、この場合には、どこに不具合原因があったのかを追求することができず、保守が困難である一方、安全管理上、開閉システムをそのまま放置できない。
【０００７】
そのため、少なくともユーザ操作に基づく動作指示通りに開閉体が動作しなかったときの不具合状況を履歴として残すことができ、保守性の向上を図ることができる開閉装置、開閉方法及び開閉プログラムが求められている。
【０００８】
なお、以上の課題は、上述した電動式開閉システムに限らず、その他の開閉システム、例えば、シートシャッター、ガレージ用シャッター、窓用シャッターなどのシャッターシステムや、また例えば、ドア、窓、オーバーヘッドドアなどの開閉システムにも共通するものである。
【課題を解決するための手段】
【０００９】
かかる課題を解決するために、第１の本発明の開閉装置は、（１）ユーザ操作を受けて開閉体の動作を指示する操作指示信号を出力する操作指示手段と、（２）操作指示手段を含む周辺装置から与えられた入力信号に基づいて開閉体の動作を制御する動作制御手段と、（３）動作制御手段が操作指示手段からの操作指示信号が示す動作を無効にしたときに、動作制御手段に入力した信号の入力組合せ情報を記憶する入力情報記憶手段とを備えることを特徴とする。
【００１０】
第２の本発明の開閉方法は、（１）操作指示手段が、ユーザ操作を受けて開閉体の動作を指示する操作指示信号を出力し、（２）動作制御手段が、操作指示手段を含む周辺装置から与えられた入力信号に基づいて開閉体の動作を制御し、（３）入力情報記憶手段が、動作制御手段が操作指示手段からの操作指示信号が示す動作を無効にしたときに、動作制御手段に入力した入力信号の入力組合せ情報を記憶することを特徴とする。
【００１１】
第３の本発明の開閉プログラムは、コンピュータに、（１）ユーザ操作を受けて開閉体の動作を指示する操作指示信号を出力する操作指示手段を含む周辺装置から与えられた入力信号に基づいて開閉体の動作を制御する動作制御手段、（２）動作制御手段が操作指示手段からの操作指示信号が示す動作を無効にしたときに、動作制御手段に入力した入力信号の入力組合せ情報を記憶する入力情報記憶手段として機能させることを特徴とする。
【発明の効果】
【００１２】
本発明の開閉装置、開閉方法及び開閉プログラムによれば、少なくともユーザ操作に基づく動作指示通りに開閉体が動作しなかったときの不具合状況を履歴として残すことができ、保守性の向上を図ることができる。
【発明を実施するための最良の形態】
【００１３】
（Ａ）実施形態
以下、本発明に係る開閉装置、開閉方法及び開閉プログラムの実施形態について図面を参照しながら説明する。
【００１４】
本実施形態は、上下に開閉するスラットシャッターの電動式開閉システムにおいて、シャッターカーテンの開閉動作を制御する装置に本発明である開閉装置及び開閉方法を適用し、また開閉装置の機能を実現する制御部が実行可能なプログラムに本発明の開閉プログラムを適用したものを説明する。
【００１５】
（Ａ−１）実施形態の構成
以下では、まず、本実施形態に係る電動式開閉システムの全体構成例を説明した後に、ユーザ操作指示に対して開閉体動作を制限する所定動作があった場合の入力組合せ情報を記憶する記憶処理装置の構成例、及び、リモコン送信機の構成例について説明する。
【００１６】
（Ａ−１−１）全体構成例
図２は、本実施形態に係る電動式開閉システムの全体構成例を示す構成図である。
【００１７】
図２において、本実施形態に係る電動式開閉システム１０は、大別して、記憶処理装置（リモコン受信機を含む）１１と、記憶処理装置１１と通信できるリモコン送信機１２と、シャッターカーテン１３と、固定操作部（操作盤）１４と、ガイドレールＧＲと、シャッターケースＳＣ１とを少なくとも備える。
【００１８】
ここで、本実施形態の電動式開閉システム１０は、例えばユーザ操作による固定操作部１４からの操作指示に従って開閉動作をする有線リモコンシステムと、例えばユーザが所持するリモコン送信機１２からの操作指示に従って開閉動作をする無線リモコンシステムとを併用したものである。
【００１９】
勿論、有線リモコンシステムのみ、又は無線リモコンシステムのみで動作する開閉システムにも本発明を適用することができる。
【００２０】
ここで、有線リモコンシステムとは、開閉体の動作を遠隔操作するシステムの１形態であり、有線通信で開閉体動作を指示するシステムをいう。また、無線リモコンシステムは、開閉体の動作を遠隔操作するシステムの１形態であり、無線通信で開閉体動作を指示するシステムをいう。
【００２１】
従って、ユーザＵ１は、固定操作部１４又はリモコン送信機１２を操作することによって、所望のシャッター動作（開動作や閉動作（必要に応じて、中間位置の変更なども含む））を指示することができる。
【００２２】
なお、ユーザ操作による電動シャッターの動作指示モードには、種々の態様が考えられるが、いずれの態様にも本発明を適用することができる。例えば、動作指示モードの例として、例えばユーザが操作スイッチを押し続けている間、開閉体動作を維持する制限操作モードや、また例えば、ユーザがいったん操作スイッチを押した後は、押し続けなくても、自動的に開閉体動作を維持する非制限操作モードなどが考えられる。
【００２３】
図２において、シャッターカーテン１３は、例えば鉄等からなる金属製のスラットを多数連接して構成された頑健な開閉体であり、例えば、防災や防犯などの用途に利用されるものである。なお本実施形態では、シャッターカーテンの例としてスラットから構成されたものを挙げて説明するが、これに限定されず、例えばポリエステルなどの軽い素材によって構成されたシート状のものやパネルシャッターやグリルシャッターにも適用できる。
【００２４】
シャッターカーテン１３は、図示しない制御部から開動作指示を受けると、図示しない動力源（例えばモータ）が駆動し、シャッターカーテン１３が、巻き取りシャフト（図示しない）により巻き取られ、シャッターケースＳＣ１内に収納される。このとき、シャッターカーテン１３は、壁ＷＬに設けられたガイドレールＧＲに沿って、矢印Ｄ２方向（上方向）に下端部１３Ａが移動し、開口部を開放する。
【００２５】
また、シャッターカーテン１３は、制御部から閉動作指示を受けると、動力源が駆動し、巻き取られていたシャッターカーテン１３が、巻き取りシャフトから離れ、ガイドレールＧＲに沿って、矢印Ｄ１方向（下方向）にシャッターカーテン１３の閉鎖側端部であるシャッターカーテン下端部１３Ａが移動し、開口部を閉鎖する。
【００２６】
なお、図２では、シャッターカーテン下端部１３Ａが完全閉鎖と完全開放との中間位置で停止している場合を示す。
【００２７】
また、シャッターカーテン下端部１３Ａ及びシャッターケースＳＣ１は、障害物検知システムとして赤外線ポートＰＲ１及びＰＲ２を有する。
【００２８】
赤外線ポートＰＲ１及びＰＲ２は、障害物検知に寄与するものであり、シャッターカーテン下端部１３Ａが物体に当接したとき、赤外線ポートＰＲ１が赤外線を送出するものである。また、赤外線ポートＰＲ２は、赤外線ポートＰＲ１からの赤外線を受信すると、赤外線を受信した旨を示す信号を記憶処理装置１１に与えるものである。
【００２９】
ここで、本実施形態では、障害物検知信号の伝送媒体に赤外線を利用した場合の態様を示すが、これに限定されず、他の光線や電波等の無線通信媒体を利用しても良いし、又は有線通信媒体を利用しても良い。
【００３０】
固定操作部１４は、例えばシャッターカーテン１３の近傍に固定的に設置されるものであり、シャッターカーテン１３の開閉動作を指示操作するものである。固定操作部１４は、例えば、開スイッチ、停スイッチ、閉スイッチの３点式のプッシュボタンスイッチ（ＰＢＳ）に代表される操作スイッチを有し、これら操作スイッチがユーザに押下されると、開動作、停動作、閉動作を指示する信号を記憶処理装置１１に与えるものである。
【００３１】
リモコン送信機１２は、シャッターカーテン１３の開閉動作を指示する無線機であり、その外観例を図３に示す。図３において、リモコン送信機１２は、本体１２Ａの上面から突出したＰＢＳ形式の３個の操作スイッチ５１〜５３を有する。リモコン送信機１２は、これら操作スイッチ５１〜５３がユーザに押下されると、所定の変調処理に従ってユーザ操作信号を有する無線信号を作成し、無線信号を送出するものである。
【００３２】
なお、図３において、操作スイッチ５１は、シャッターカーテン１３の開動作を指示するための開動作スイッチで、操作スイッチ５２はシャッターカーテン１３の閉動作を指示するための閉動作スイッチで、操作スイッチ５３はシャッターカーテン１３の開動作または閉動作を任意のタイミングで停止させるための停止スイッチである。
【００３３】
記憶処理装置１１は、その機能構成の詳細は後述するが、固定操作部１４やリモコン送信機１２から操作指示信号を受信したり、上限リミットや下限リミットからの信号を受信したり、赤外線ポートＰＲ２からの障害物感知信号を受信したり、動力源（例えばモータ）の温度を感知する温度センサから温度情報を受信したりし、これらの受信信号に基づいてシャッターカーテン１３の動作を制御するものである。
【００３４】
また、記憶処理装置１１は、ユーザから操作指示されたシャッターカーテン１３の動作を制限する優先順位の高い入力があった場合、そのときの入力信号の入力組合せ情報を記憶させるものである。すなわち、記憶処理装置１１は、ユーザから操作指示された動作を無効にする事象が生じた場合、これを異常であるとし、そのときの入力信号の入力状況を履歴として記録するものである。
【００３５】
これにより、シャッターカーテン１３の動作を制限する入力があった場合を履歴として記録することができるので、その履歴情報に基づいて不具合を生じさせる原因となる入力信号の信号系統を推定できるので、的確な保守作業をすることが期待できる。
【００３６】
以下、記憶処理装置１１の構成及び機能について図面を参照しながら詳細に説明する。
【００３７】
（Ａ−１−２）記憶処理装置の構成例
図１は、記憶処理装置１１の機能を司る制御部を中心とした構成と周辺装置との関係を示す構成図である。
【００３８】
図１に示すように、本実施形態のシステムの構成は、記憶処理装置１１の機能を司る制御部４３、固定操作部１４と、リミット位置記憶部２１と、比較部２２と、カウンタ部２３と、タイマ部２４と、赤外線受信部（ＰＲ２）２５と、モータ制御部２６と、温度センサ部２７と、記憶管理部２８と、コネクタ部２９と、ログ記憶部３０と、無線受信部４１と、受信処理部４２とを少なくとも備える。
【００３９】
制御部４３は、記憶処理装置１１としての機能を司るものであり、例えば、ＣＰＵ、ＲＯＭ、ＲＡＭ、ＥＥＰＲＯＭ等から構成されるものであり、例えばマイクロコンピュータ等が該当する。
【００４０】
制御部４３は、固定操作部１４、受信処理部４２、比較部２２、赤外線受信部（赤外線ポートＰＲ２）２５、温度センサ部（ＴＨ１）２７、タイマ部２４などと接続し、これら構成要件からシャッター１３の動作を指示する信号や又はシャッターカーテン１３の状態を知らせる信号を受信し、これらの信号入力に基づいてシャッターカーテン１３の動作を制御する信号をモータ制御部２６に与えるものである。
【００４１】
また、制御部４３は、上述した構成要件からの信号入力の状況を監視する入力監視部４３Ａを備える。この入力監視部４３Ａは、予め設定された異常判定テーブル４３Ｂを有し、上述した構成要件から入力した入力信号の組合せが異常判定テーブル４３Ｂに設定された組合せと一致する場合には、シャッターカーテン１３の動作を制限する入力があった（すなわち異常であった）と判定し、その入力組合せ情報を履歴として記録管理部２８を通じてログ記憶部３０に記録させるものである。
【００４２】
ここで、異常判定テーブル４３Ｂの構成例について図７を参照して説明する。異常判定テーブル４３Ｂには、シャッターカーテン１３に対する、ある動作指示と、その動作を制限するより優先順位が高い動作指示との関係例を示すものである。勿論これら以外の内容を設定することができる。
【００４３】
例えば、図７の異常判定テーブル４３Ｂの構成例では、「上限リミット信号」、「下限リミット信号」、「開信号」、「閉信号」、「停信号」、「障害物感知信号」の入力の有無を項目とする。なお、図７では、制御部４３に信号入力する場合を「ＯＮ」と示し、制御部４３への信号入力がない場合を「ＯＦＦ」と示す。
【００４４】
そして、例えば、「開信号、閉信号」のユーザ操作指示より、「上限リミット信号、下限リミット信号、障害物感知信号」の入力指示の方が優先順位は高いものとし、また例えば、「上限リミット信号、下限リミット信号、障害物感知信号」より、「停信号」の方が優先順位は高いものとする。
【００４５】
従って、例えば、「異常ＮＯ．１」では、上限位置以上の開放状態にあるシャッター１３をユーザが閉動作しようとする場合であるが、「閉信号：ＯＮ」が制御部４３に与えられても、それより優先順位が高い「障害物検知信号：ＯＮ」が与えられ、「閉動作」が制限されたときを示す。
【００４６】
また、「異常ＮＯ．」は、上記テーブル項目の各信号の入力組合せに一致する場合に、その組合せパターンを決定づけるための番号情報であり、本実施形態では、この番号情報をログ記憶部３０に記憶させるようにする。すなわち、異常判定テーブル４３Ｂに規定された入力組合せの信号入力を入力監視部４３Ａが検知すると、その入力組合せに係る「異常ＮＯ．」を記憶管理部２８に与えて、ログ記憶部３０に記憶させる。その後、保守作業者は、記憶された「異常ＮＯ．」を出力し、その「異常ＮＯ．」に基づいて、どの信号が「ＯＮ」であり、どの「ＯＦＦ」であるかを手許の管理表等から把握し、その不具合原因となる信号系統の保守を積極的にすることができる。
【００４７】
さらに、「異常の内容」は、上記テーブル項目の各信号の入力組合せで入力があった場合の異常の内容を示すものである。なお、本実施形態では、説明便宜上、この項目をテーブル項目としたが、保守作業者が異常の内容を知ることができれば、この項目はなくてもよい。
【００４８】
また、本実施形態では、異常判定テーブル４３Ｂに規定の入力組合せで、各入力信号が制御部４３に入力した場合に、異常履歴をとるものとして説明するが、異常判定テーブル４３Ｂの規定によらず、何らかのユーザ操作指示信号が示す動作を無効とした場合、そのときに制御部４３に入力する入力信号の入力状況をすべて履歴として記録するようにしても良い。
【００４９】
なお、本実施形態において、「ユーザ操作指示信号が示す動作を無効とする」とは、例えば、「開信号：ＯＮ」など操作指示手段からの操作指示信号が制御部４３に入力されても何も動作制御しない（すなわち、それまでの状態を保持する）ことのほかに、例えば、「開信号：ＯＮ」が制御部から与えられても、「停止動作制御」や「閉動作制御」など、制御部から与えられた信号が示す動作制御とは異なる別の動作制御を行うことを含む概念であり、さらに、動作モードの変更や、動作範囲の変更、動作スピードの変更等も可能であることを含む概念である。さらに、無効の仕方は、組合せパターンにより異なるようにしてもよい。
【００５０】
図１に戻り、無線受信部４１は、例えば、受信用のアンテナシステム、フィルタ回路、電力増幅器などを備え、リモコン送信機１２が無線送信した無線信号ＷＬ１を受信し、受信した無線信号ＷＬ１に含まれている送信信号ＷＳと対応する受信信号ＷＳを受信処理部４２に与えるものである。
【００５１】
受信処理部４２は、無線受信部４１から受信信号ＷＳを受け取り、所定の復号処理や復調処理などの必要な処理を施した受信処理信号ＲＰを制御部４３に与えるものである。
【００５２】
固定操作部１４は、ユーザ操作された操作指示信号を制御部４３に与えるものである。
【００５３】
モータ制御部２６は、制御部４３からシャッターカーテン１３の動作を制御する制御信号Ｓ２６を受け取り、その制御信号Ｓ２６に応じて動力源であるモータＭ１を駆動させるものである。
【００５４】
また、モータ制御部２６は、モータＭ１の出力軸の回転を示すエンコーダパルスＳ２６Ａを出力する機能も備えており、エンコーダパルスＳ２６Ａをカウンタ部２３に与えるものである。このエンコーダパルスＳ２６Ａの数により、モータＭ１の出力軸の回転量は可変し、このモータＭ１の出力軸の回転量がシャッター１３（すなわち、下端部１３Ａ）の移動量に対応する。
【００５５】
カウンタ部２３は、モータ制御部２６からエンコーダパルスＳ２６Ａを受け取り、そのエンコーダパルスの数をカウントし、そのカウント値を比較部２２に与えるものである。
【００５６】
リミット位置記憶部２１は、下端部１３Ａの移動範囲のうち上限位置（上限リミット）を示す情報（上限リミット位置データＬＵＰ）と、下限位置（下限リミット）を示す情報（下限リミット位置データＬＵＮ）とを記憶するものである。なお、リミット位置記憶部２１は、上限位置と下限位置との間の所定の中間位置を示す情報や、上限位置や下限位置を所定のわずかな距離だけオーバーランした位置を示す情報を記憶させることも可能である。
【００５７】
比較部２２は、カウンタ部２３から与えられたカウント値ＣＴ１を、リミット位置記憶部２１に記憶されているリミット位置データＬＵＰ、ＬＵＮと比較することで、シャッターカーテン下端部１３Ａが上限位置又は下限位置のいずれかに到達したことを検出するものであり、その検出の結果は、上限リミット信号又は下限リミット信号として制御部４３に与えられる。
【００５８】
ここで、シャッターカーテン下端部１３Ａの位置（例えば、上限位置または下限位置）を認識するための方法として、連続カウント方式と不連続カウント方式とが考えられ、これらの方式について図５及び図６を参照しながら簡単に説明する。
【００５９】
連続カウント方式は、前回のシャッター動作の終了時のカウント値を保存（この保存には、例えばＥＥＰＲＯＭ（フラッシュメモリ：Electrical  Erasable  Programmable  ＲＯＭ）などの不揮発性記憶手段を用いる）しておいて今回のシャッター動作の開始時のカウント値とするものである。
【００６０】
一方、不連続カウント方式は、各シャッター動作の終了時のカウント値は保存せず、シャッター動作ごとに開始時のカウント値を一定の初期値（ここではこれを、０とする）にリセットするものである。
【００６１】
図６（Ａ）は連続カウント方式の動作例を示す説明図であり、図６（Ｂ）は不連続カウント方式の動作例を示す説明図であり、両者とも、完全閉鎖状態から開動作（ＥＡ１，ＥＢ１）を行って完全開放状態に移行し、更に完全開放状態から閉動作（ＥＡ２，ＥＢ２）を行って完全閉鎖状態に移る場合の動作を示している。
【００６２】
外観上、完全閉鎖状態は図５（Ｃ）に示す状態であり、完全開放状態は図５（Ａ）に示す状態である。また、完全閉鎖状態と完全開放状態の中間の状態（中間位置）の一例は図５（Ｂ）に示す状態である。
【００６３】
連続カウント方式の場合、図６（Ａ）の例では、リミット位置記憶部２１内に記憶される上限リミット位置データＬＵＰは「１００００」で、下限リミット位置データＬＵＮは「０」である。
【００６４】
これに対し、不連続カウント方式の場合、図６（Ｂ）の例では、リミット位置記憶部２１内に記憶される上限リミット位置データＬＵＰは「１００００」で、下限リミット位置データＬＵＮは「−１００００」である。
【００６５】
ただし、カウンタ部２３によるエンコーダパルスＳ２６Ａのカウントは、シャッターカーテン下端部１３Ａが矢印Ｄ２方向に移動する開動作の場合には、エンコーダパルスＳ２６Ａが供給されるたびにインクリメント（＋１）する処理であり、反対に、矢印Ｄ１方向に移動する閉動作の場合には、エンコーダパルスＳ２６Ａが供給されるたびにデクリメント（−１）する処理である。
【００６６】
インクリメントすべきか、デクリメントすべきかをカウンタ部２３に知らせるため、制御部４３は、信号Ｓ２６で指示したものがシャッターカーテン１３の開動作であるか閉動作であるかを、カウンタ部２３に伝えるようにするとよい。
【００６７】
また、制御部４３は、信号Ｓ２６で指示したものがシャッターカーテン１３の開動作であるか閉動作であるかを、比較部２２に伝え、カウント値ＣＴ１と比較する対象が上限リミット位置データＬＵＰであるか、下限リミット位置データＬＵＮであるかを指定するようにするとよい。
【００６８】
このように、比較部２２の機能を用いることで、制御部４３は、シャッターカーテン下端部１３Ａが上限位置又は下限位置に達したことを認識できるため、シャッターカーテン１３の開動作又は閉動作を上限位置又は下限位置で自動的に停止させ、上述した非制限操作モードを実現できる。
【００６９】
なお、制御部４３は、比較部２２の機能を用いずに、シャッターカーテン下端部１３Ａが下限位置に達したことを認識することもできる。例えば、赤外線受信部２５から供給される信号Ｓ２５を利用する方法が考えられる。また例えば、上述した２つの方法を用意しておくことにより、制御部４３は、通常は、比較部２２の機能を用いて下限位置での停止を行い、緊急時（障害発生などによって、比較部２２から正常な信号Ｓ２２が供給されないとき等）には、信号Ｓ２５に基づいて下限位置での停止を行うようにすることができる。
【００７０】
赤外線受信部２５は、赤外線ポートＰＲ２を有し、シャッターカーテン下端部１３Ａに設けられた赤外線ポートＰＲ１から出力された赤外線ＩＲＤを受信するものである。赤外線受信部２５は、赤外線ＩＲＤを受信すると、その旨を知らせるため信号Ｓ２５を制御部４３に与えるものである。
【００７１】
上述したように、赤外線ポートＰＲ１から赤外線ＩＲＤが出力されるのは、閉動作中のシャッターカーテン下端部１３Ａが物体に当接したときである。シャッターカーテン１３の一般的な運用状況を前提とすると、シャッターカーテン下端部１３Ａが当接する物体はほとんどの場合、床面ＦＬであるが、希には、不測の物体（障害物）と当接することがある。床面ＦＬとシャッターカーテン下端部１３Ａの当接は、閉動作によってシャッターカーテン１３が完全閉鎖状態となるたびに発生する事象であるのに対し、不測の物体との当接は、シャッターカーテン１３の閉動作中、シャッターカーテン１３の軌道上（下端部１３Ａの進行方向）に不測の物体が出現した場合にのみ発生する事象である。
【００７２】
上述したように、緊急時にのみ、制御部４３が信号Ｓ２５に基づいて下限位置での停止を行うようにするには、下限リミット位置データＬＵＮの値として、シャッターカーテン下端部１３Ａが床面ＦＬに当接して赤外線ＩＲＤを出力する位置よりも、わずかに上の位置を指す値を設定しておくとよい。これにより制御部４３は、通常は信号Ｓ２２に基づいて自動的にシャッターカーテン１３を停止し、緊急時には、信号Ｓ２５に基づいてシャッターカーテン１３を停止（緊急停止）することができる。
【００７３】
温度センサ部２７は、モータＭ１の温度を検出し、その検出した温度情報を制御部４３に与えるものである。ここで、温度センサ部２７が提供する温度情報は、例えば、常時又は一定周期で測定したモータＭ１に関する温度の測定値としてもよいし、また例えば、モータＭ１の温度の測定値が所定の閾値ＴＨ１を越えたか否かを温度センサ部２７が判定し、閾値を越えたときのみ信号Ｓ２７を制御部４３に供給するものとしてもよい。この閾値ＴＨ１は、モータＭ１で異常加熱が発生したときに越える値である。
【００７４】
タイマ部２４は、制御部４３がモータ制御部２６に対して動作開始を指示してから、その動作停止を指示するまでの時間ＴＭ１を計測するものである。
【００７５】
ここで、動作開始の指示は、制御部４３からモータ制御部２６への開動作又は閉動作の制御信号の供給時であり、動作停止の指示は、制御部４３からの停止動作の制御信号の供給時であって、ユーザ操作に従って供給する場合と制御部４３が動作停止すべき状況を判断して供給（例えば、シャッターカーテン１３が上限又は下限に達したときの停止信号の供給や、異常検知に基づく停止信号の供給）する場合とが考えられる。
【００７６】
また、タイマ部２４が計測する時間ＴＭ１は、シャッターカーテン１３やモータＭ１等の仕様や外部環境（例えば、風圧の大きさや温度等）に応じて決定され得るが、通常は、ある一定の範囲内に収まるはずなので、時間ＴＭ１が異常に長い場合などは、障害の存在を疑う根拠となり得る。また、予め正常の範囲を示す閾値を設定し、時間ＴＭ１と閾値との比較により正常か異常かを判断することができる。
【００７７】
なお、制御部４３が異常を判定してログを記憶する際、タイマ部２４が測定した時間ＴＭ１も対応付けて残すようにしても良い。これにより、異常動作の原因推定に寄与することができる。例えば、閉動作信号が「ＯＮ」したが、停止動作信号が「ＯＮ」して降下しない場合（図７の「異常ＮＯ．２」の場合）、閉動作信号が停動作信号より先に入力したときには、閉動作信号入力に基づく制御信号を出力し、その後停動作信号入力に基づく制御信号を出力するまでの時間ＴＭ１を知ることができるので、その停止に対応する不具合原因を追求し得る。
【００７８】
ログ記憶部３０は、シャッターカーテン１３に生じた異常動作のログを記録するための不揮発性の記憶資源であり、取り外し可能な形式で装着されている記憶媒体（例えば、小型のメモリカード（例えば、ＳＤ（Secure  Digital）メモリカード等）であってもよいし、又は記憶処理装置１１の内部又は近傍に固定的に設置された記憶媒体であってもよい。本実施形態では、取り外し可能な形式で装着されている記憶媒体を用いた場合を示す。
【００７９】
このように、取り外し可能な形式で記憶媒体を用いることにより、ログ解析の際、ログ記憶部３０を取り外して、情報処理装置（例えばパーソナルコンピュータ等）でログ解析することができる。また、例えばＳＤメモリカードなど所定の規格に対応した汎用性のある記憶デバイスを用いれば、専用の機器を用意しなくても、汎用的に使用されている携帯電話機やパソコンなどを用いて、記憶デバイスに記憶されている記憶内容を読み取り、ログ解析を実行することができる。
【００８０】
また、固定的に設置された記憶媒体を用いる場合には、例えば、専用の読み取り機器などを、例えばコネクタ（図示しない）を通じて記録媒体に接続し、記憶媒体に記憶されている記憶内容を読み取り、ログ解析を実行することができる。
【００８１】
なお、ログ記憶部３０への記憶形式は、種々の形式が考えられるが、例えば、制御部４３が異常と判定した「異常ＮＯ．」を、異常発生した順に時系列的に記憶する形式が考えられる。
【００８２】
また、図１には図示しないが、例えば日時情報を供給する時計部を具備していれば、その異常発生時の日時情報を異常履歴に対応付けて記憶するようにしても良い。また、時計部を具備していなくても、日時情報の代わりに、例えばシャッターカーテン１３の開閉動作の累積回数等を異常履歴に対応付けて記憶するようにしても良い。
【００８３】
コネクタ部２９は、ログ記憶部３０を取り外し可能な形式で記憶処理装置１１に装着するためのコネクタである。なお、ログ記憶部３０との接続形式によるが、ログ記憶部３０が無線部を有し無線通信が可能であれば、コネクタ部２９は無線通信インタフェースでとしても良い。
【００８４】
記憶管理部２８は、制御部４３からの指示に従って、ログ記憶部３０に記憶させるログ情報を作成するものであり、例えば、ＲＤＢＭＳ（リレーショナルデータベース管理システム）等が該当する。記憶管理部２８がＲＤＢＭＳを構成する場合、一般的なＲＤＢＭＳは、関係型データベースに対するあらゆる操作（行の追加、削除、検索など）を実行する機能を持つが、記憶管理部２８は、基本的に、少なくとも行を追加する機能を有すれば良い。
【００８５】
ログは、何らかの不測の問題が発生したときに解析するものなので、いつ必要になるか、また、いつまで遡って解析する必要があるかを事前に予測することは難しい。従って、ログテーブルＴＢ１に記録した内容はできるだけ長期間、保存しておくことが望ましいが、ログ記憶管理部３０の記憶容量には物理的な上限がある。この上限に達したあとも、さらに新たなログ（新たな行）を記録しつづけるためには、例えば、最も古い行から順番に削除し、その削除によって生まれた空き容量を用いて、新たな行の追加を行うようにしてもよい。その場合、記憶管理部２８は最も古い行を削除する機能を持つ必要がある。
【００８６】
（Ａ−１−３）リモコン送信機の内部構成
続いて、リモコン送信機１２の内部構成例について図４の機能ブロック図を参照して説明する。
【００８７】
図４に示すように、リモコン送信機１２は、無線送信部５４と、送信処理部５５と、プロセッサ５６と、手順記憶部５７と、操作検出部５８と、操作応答部５９とを備え、操作スイッチ５１〜５３は、操作検出部５８に設けられている。
【００８８】
無線送信部５４は、送信処理部５５から受け取った送信信号に、所定の無線処理を施して生成した無線信号ＷＬ１を無線送出するものであり、例えば、送信用のアンテナシステムやフィルタ回路などを備えている。無線信号ＷＬ１は、例えば、３００ＭＨｚ、４００ＭＨｚ程度の周波数帯域であり、その送信電力は例えば１ｍＷ程度の微弱な電波であってよい。
【００８９】
送信処理部５５は、プロセッサ５６から送信処理信号ＲＰを受け取り、所定の符号化処理や変調処理等を施して生成した送信信号ＷＳを、無線送信部５４に与えるものである。
【００９０】
ここで、送信信号ＷＳの内容は、例えばシャッターカーテン１３の動作指示やＩＤ登録操作等と有限個であるため、送信処理部５５の情報発生源（例えば、ＲＯＭ等）に予め考えられる送信情報を用意しておき、送信処理信号ＲＰに応じて選択できるようにしても良い。
【００９１】
なお、ＩＤとは、リモコン送信機１２からの情報であることを一義的に識別するための情報をいい、これを必要とするのは、他のリモコン送信機の使用周波数帯域が同じであるためである。記憶処理装置１１（リモコン受信機）側では、使用ユーザのＩＤを１個又は複数個予め登録し、使用時に認証する必要がある。
【００９２】
プロセッサ５６は、リモコン送信機１２の機能を司るものであり、特に、手順記憶部５７から判定信号ＤＳを受け取り、その判定信号ＤＳに基づく送信処理信号ＲＰを送信処理部５５に与えるものである。
【００９３】
操作検出部５８は、操作スイッチ５１〜５３を設け、ユーザにより操作スイッチ５１〜５３が押下されると、操作指示信号ＰＢ１を手順記憶部５７に与えると共に、同じ操作指示信号ＰＢ２を操作応答部５９に与えるものである。
【００９４】
手順記憶部５７は、操作検出部５８から操作指示信号ＰＢ１を受け取ると、その操作指示信号ＰＢ１に基づく操作手順を一時的に記憶し、その操作手順をプロセッサ５６に与えるものである。これは、３個の操作スイッチ５１〜５３の押下順序や押下時間及び又はこれらの組合せにより、予め所定のシャッター動作の態様を設定した場合、操作指示信号ＰＢ１の入力パターンを記憶し、その入力パターンの判定結果である判定信号ＤＳをプロセッサ５６に与えることができる。
【００９５】
操作応答部５９は、操作検出部５８から受け取った操作指示信号ＰＢ２に応じた応答出力ＲＡを出力するものであり、例えば、ブザーなどの音響発生器、ＬＥＤ（発光ダイオード）等の発光素子などが該当する。
【００９６】
（Ａ−２）実施形態の動作
次に、本実施形態の記憶処理装置１１におけるシャッターカーテン１３の動作を制限する入力があった場合にログを記憶する処理の動作について図面を参照して説明する。
【００９７】
まず、電動式開閉システムの設置時又は保守終了時は、ログ記憶部３０はログを記憶しておらず、また制御部４３は、周辺装置から信号入力の有無を監視する（ステップ１０１）。
【００９８】
すなわち、制御部４３は、固定操作部１４、受信処理部４２、比較部２２、温度センサ部２７、タイマ部２４からの信号入力の有無を監視する。
【００９９】
このとき、制御部４３は、固定操作部１４又は受信処理部４２から、「開信号」が与えられると、「開信号」が「ＯＮ」であると検知し、「閉信号」が与えられると、「閉信号」が「ＯＮ」であると検知し、「停信号」が与えられると、「停信号」が「ＯＮ」であると検知する。なお、制御部４３は、「開信号」、「閉信号」、「停信号」が与えられない場合には、それぞれの信号は「ＯＦＦ」とする。
【０１００】
また、シャッターカーテン下端部１３Ａが上限位置以上に到達している場合、制御部４３は、比較部２２から「上限リミット信号」が与えられ、「上限リミット信号」が「ＯＮ」と検知し、シャッターカーテン下端部１３Ａが下限位置以下に到達している場合、制御部４３は、比較部２２から「下限リミット信号」が与えられ、「下限リミット信号」が「ＯＮ」と検知する。なお、制御部４３は、「上限リミット信号」、「下限リミット信号」が与えられていない場合には、それぞれの信号は「ＯＦＦ」とする。
【０１０１】
さらに、障害物検知した場合、制御部４３は、赤外線受信部２５から「障害物感知信号」が与えられ、「障害物感知信号」が「ＯＮ」と検知し、「障害物感知信号」が与えられていない場合、「障害物感知信号」が「ＯＦＦ」とする。
【０１０２】
その後、シャッターカーテン１３の開閉動作を操作指示する信号ＤＳ又はＲＰが、固定操作部１４又は受信処理部４２から制御部４３に与えられると（ステップ１０２）、制御部４３は、そのときの入力信号の入力状況が、異常判定テーブル４３Ｂに規定される入力信号の組合せパターンに一致するか否かを判定する（ステップ１０３）。
【０１０３】
入力信号の入力状況が入力組合せパターンと一致しないと制御部４３が判定すると、制御部４３は、通常の制御処理を行い、このときの入力信号の組合せ情報は記憶されず、通常の制御処理後は入力信号の監視状態に戻る。
【０１０４】
すなわち、制御部４３は、操作指示信号に従った制御信号をモータ制御部２６に与える。そして、モータ制御部２６に制御信号が与えられると、モータ制御部２６が制御信号に従ってモータＭ１を駆動制御し、シャッターカーテン１３を開閉動作させる。
【０１０５】
一方、入力信号の入力状況が入力組合せパターンと一致すると制御部４３が判定すると、制御部４３は所定の異常動作であると判定し、この異常動作時の入力信号の組合せ情報が記憶される（ステップ１０４）。
【０１０６】
例えば、シャッターカーテン下端部１３Ａが上限位置以上にある状態（例えば完全開放状態）から、ユーザＵ１がシャッターカーテン１３を閉動作を指示する場合を例に挙げる。
【０１０７】
この場合、シャッターカーテン下端部１３Ａが上限位置に達しているから、「上限リミット信号」が比較部２２から制御部４３に与えられ、「上限リミット信号」は「ＯＮ」、「下限リミット信号」は「ＯＦＦ」である。
【０１０８】
そして、ユーザＵ１が固定操作部１４又はリモコン送信機１２を閉スイッチを操作すると、固定操作部１４又は受信処理部４２から「閉信号」が制御部４３に与えられる。このとき、「閉信号」が制御部４３に与えられるから、「閉信号」は「ＯＮ」であり、「開信号」及び「停信号」は「ＯＦＦ」である。
【０１０９】
ユーザＵ１の操作指示に基づく操作指示信号を受けている間に、障害物を感知し、赤外線受信部２５から障害物感知信号が制御部４３に与えられると、「障害物感知信号」が「ＯＮ」となる。
【０１１０】
そうすると、このときの入力信号の入力状況は、「上限リミット信号：ＯＮ」、「下限リミット信号：ＯＦＦ」、「開信号：ＯＦＦ」、「閉信号：ＯＮ」、「停信号：ＯＦＦ」、「障害物検知信号：ＯＮ」となり、図７の異常判定テーブル４３Ｂの「異常ＮＯ．１」の組合せパターンに該当するから、ユーザＵ１によるシャッターカーテン１３の操作指示がキャンセルされ、制御部４３は、ユーザ操作指示に対する異常動作であると判定する。
【０１１１】
そして、制御部４３は、「異常ＮＯ．１」に規定される入力組合せ情報として、異常判定テーブルの異常ＮＯ．の「１」を記憶管理部２８に与えて、所定の記憶管理方式に従ってログ記憶部３０に「１」を記憶させる。なお、記憶管理方式には、例えば、ログ情報に対して暗号化や記号化などの処理を施したものを記憶する方式を採用しても良い。
【０１１２】
以降、同様に、ユーザからの操作指示に対して開閉動作を制限する異常動作があった場合、制御部４３はそのときの入力組合せ情報をログとして記憶するようにする。
【０１１３】
その後、保守者が、ログ記憶部３０に記憶されている記憶内容（ログ情報）を所定の方法で読み取り、所定のログ解析を行い、不具合の原因を追求し、適切な保守を実行できる。
【０１１４】
なお、ログの解析方法は、ログ記憶部３０の形式にもよるが、本実施形態のように、取り外し可能な記憶媒体（例えばＳＤカード）を用いた場合には、ログ記憶部３０をコネクタ部２９から取り外し、例えば、ノート型パソコンや携帯電話機を利用することができる。また、ログ記憶部３０から読み取った内容は、ノート型パソコンや携帯電話機の画面に表示させて、保守者自身の知識や経験に基づいてログを解析するものであってもよいが、解析ツールなどを利用すれば、いっそう効率的なログ解析を行える可能性が高い。また、携帯電話機やノート型パソコンの通信機能を利用する場合には、例えば、読み取ったログ情報をノート型パソコンや携帯電話機などから所定のサーバなどに送信し、ログ解析のための処理はサーバ側で行うものであってもよい。この場合、解析結果やその解析結果に応じて行うべき適切な保守の内容は、サーバからノート型パソコンや携帯電話機に伝えるものとすることもできる。
【０１１５】
（Ａ−３）実施形態の効果
以上のように、本実施形態によれば、ユーザが指示した動作を無効に（キャンセル）し、その指示動作を制限させる入力情報を異常と判定するため、予め用意した異常判定テーブル４３Ｂを備え、その異常判定テーブル４３Ｂに規定された入力組合せ情報を履歴として記憶することで、その後の保守作業の際、その履歴情報に基づいて不具合原因を推測することができるので、保守性を高めることができる。
【０１１６】
（Ｂ）他の実施形態
（Ｂ−１）上述した実施形態において、制御部４３は、異常判定テーブル４３Ｂの入力組合せ情報を履歴として記憶させるものとして説明し、このとき、記憶させる情報を「異常ＮＯ．」とする場合を説明した。しかし、これに限定されず、数字以外の情報（例えば、文字、記号など）でも良いし、入力信号そのものの入力状況（例えば「ＯＮ／ＯＦＦ」情報）を記憶させても良い。
【０１１７】
また、制御部４３は、異常判定テーブル４３Ｂに規定の入力組合せ情報だけでなく、そのほかのユーザ操作指示を制限する動作をした場合の入力信号の入力状況を記憶させるようにしても良い。
【０１１８】
また、操作指示を制限する動作（何らかの不具合発生（異常も含む））をした後の制御部４３が指示した制御信号の内容も、ログ履歴に対応付けて記憶させるようにしても良い。これにより、入力情報と出力情報とを対応付けて記憶させることができ、保守性をより高めることができる。
【０１１９】
さらに、例えば、温度センサ部２７や図示しない緊急検知手段（エマージェンシー）等による異常検知があった場合にも、その場合の異常検知関連情報を履歴として記憶させるようにしても良い。この場合、異常判定テーブル４３Ｂに基づくログと区別する形式で履歴を記憶させることが望ましい。また、この場合、ログ情報同士で時系列の用い方をそろえた方が好ましい。
【０１２０】
（Ｂ−２）上述した実施形態では、専用の無線リモコンシステム及び有線リモコンシステムを併用したシステムに適用した場合を説明したが、それぞれのリモコンシステムのいずれかに適用するようにしても良い。
【０１２１】
また、リモコン送信機１２を所定の装着部等に装着し、固定操作部１４を使用する場合のような有線リモコンシステムとして適用しても良い。
【０１２２】
また、上述した実施形態では、無線信号ＷＬ１は周波数帯域が３００ＭＨｚや４００ＭＨｚ程度で、送信電力が１ｍＷ程度の微弱な電波であったが、その周波数帯域や送信電力などの適用範囲はこれに限定されるものではない。これよりも高い周波数や低い周波数の電波を使用してもよく、赤外線などを使用してもよい。また、送信電力もこれよりも大きくしてもよく、小さくしてもよい。
【０１２３】
（Ｂ−３）上述した実施形態では、シャッターカーテン下端部１３Ａが物体に当接したことを赤外線を利用して記憶処理装置１１に伝えるようにしたが、この赤外線は、他の伝送信号に置換可能である。例えば、レーザ光線など他の種類の光信号に置換したり、電気信号や超音波信号など、光信号以外の伝送信号に置換したりしてもよい。必要ならば、無線伝送路ではなく有線伝送路（例えば、光ファイバケーブルやツイストペアケーブルなど）を利用してこの伝送信号を伝送するようにしてもよい。
【０１２４】
また、シャッターカーテン下端部１３Ａが物体に当接しているかどうかの情報と共に、例えば、赤外線ポートが赤外線ＩＲＤを出力するための電力供給異常（例えば電池異常）の有無などの情報も伝送信号に含めて伝送し、この情報も入力組合せパターンに含むようにしても良い。なお、この場合、電力供給異常などの情報を赤外線以外の他の伝送方法（例えば、有線通信や他の無線通信等）により制御部４３に通知できるようにし、その情報を入力組合せパターンに含むようにしても良い。
【０１２５】
（Ｂ−４）上述した実施形態にかかわらず、緊急用（エマージェンシ用）及び／又はシャッターカーテン下端部（１３Ａに対応）に対する物体の当接検知用として、モータのトルク変動に基づく負荷感知を行うようにしてもよい。負荷感知では、トルクの大きさを監視しており、トルクが大きく変動したことを検知することによって通常より大きな負荷を感知する。通常より大きな負荷は、例えば、閉動作するシャッターカーテン下端部（１３Ａに対応）が床面ＦＬや障害物などに当接したときに発生する。
【０１２６】
従って、トルクの大きな変動を検知したときに、モータの出力軸を停止させてシャッターの閉動作を停止したり、モータの出力軸を反転させて開動作を開始したりすることが可能になる。このようなトルク変動に基づく負荷感知を行う場合、トルクの変動が大きいか否かを判定するための所定の閾値を、変更できるようにすることも望ましい。
【０１２７】
（Ｂ−５）上述した実施形態では、記憶処理装置１１を固定操作部１４の外に配置しているが、記憶処理装置１１の構成要素の全部又は一部を、固定操作部１４内に配置してもよいことは当然である。
【０１２８】
（Ｂ−６）また、上述した実施形態では、エンコーダパルスを利用してシャッターカーテン下端部１３Ａの位置を論理的に検出したが、本発明は必ずしもこれに限るものではない。
【０１２９】
例えば、モータＭ１にかかる負荷を検出（例えば、タコジェネレータなどを利用して回転量の変化を検査し、その検査結果を基にシャッターカーテン下端部１３Ａの位置を検出すること等も含む）したり、ガイドレールＧＲにテープスイッチを設けておき、シャッターカーテン下端部１３Ａに物体が当接すると、突出してこのテープスイッチを押圧する突出機構をシャッターカーテン下端部１３Ａ内に装備したりすることも可能である。
【０１３０】
（Ｂ−７）また、上述した実施形態にかかわらず、本発明は、防災シャッターなどのように、自重で閉動作を行うタイプのシャッターやばね等により機械的に常に閉動作方向に付勢しているタイプのシャッターにも適用可能である。これらのタイプのシャッターでも、開動作は電動で行うものがあるため、シャッターカーテン下端部（１３Ａに相当）が物体に当接したことを検出したとき、電動によって反転上昇させることが可能だからである。
【０１３１】
（Ｂ−８）さらに、上述した実施形態にかかわらず、シャッターカーテン１３が上下方向以外の方向に移動するものであってもよい。本発明は、例えば、斜め方向や水平方向にスライドするシャッターなどにも適用可能である。
【０１３２】
さらにまた、開閉動作とは、開方向のみ、閉方向のみ、または開閉両方向の移動動作を意味する。また、「閉」は開口部が存在するような場合にはこれを閉鎖する方向への移動を意味する概念であり、繰り出し、スライド移動、展張等を含む開閉体の前進を意味し、「開」は開口部が存在するような場合にはこれを開放する方向への移動を意味する概念であり、巻き取り、収縮、スライド移動、折り畳み等を含む開閉体の後退を意味する。
【０１３３】
さらに、上記実施形態では、操作スイッチは、ＰＢＳ形式のスイッチであるものとしたが、本発明は、ＰＢＳ形式のスイッチに限って適用されるものではない。スライド式スイッチや回転式スイッチなどを使用してもよく、圧力や温度、静電気、入射光の変化などに反応する各種のスイッチを適用することもできる。
【０１３４】
（Ｂ−９）上記実施形態の記憶処理装置１１において、制御部４３の外部に示した構成要素の機能は、制御部４３に持たせることができることは当然である。例えば、前記カウンタ部２３，比較部２２、タイマ部２４，記憶管理部２９などに相当する機能は、制御部４３自身に持たせることができる。その場合、例えば、比較部２２から制御部４３に供給される信号Ｓ２２などは、制御部４３の内部で発生することになるが、制御部４３内部で発生したことをもって制御部４３に入力されたものとして処理することが可能である。
【０１３５】
（Ｂ−１０）また、上記実施形態にかかわらず、記憶処理装置１１内には、制御部４３とは別に、監視用プロセッサを設けるようにしてもよい。その場合、制御部４３への入力や制御部４３からの出力は当該監視用プロセッサが監視し、監視の結果に応じて、当該監視用プロセッサが記憶管理部２８に行の追加を指示するものであってよい。
【０１３６】
さらに、制御部４３と当該監視用プロセッサが相互に、動作の正常性を監視し合うようにし、その監視の結果もログとして、ログ記憶部３０に記録するようにしてもよい。
【０１３７】
再現性の低い不具合の原因は、遠隔操作システム全体で、最も複雑な機能を持つ構成要素の１つである制御部４３自体にある可能性も小さくないため、このような構成として、制御部４３自体の正常性も監視することは、保守性の向上に大きく寄与する。
【０１３８】
（Ｂ−１１）また、記憶処理装置１１内又はその周辺の各部の電圧レベルを測定する場合、その測定結果を記録するためのデータ項目を用意するとよい。さらに、記憶処理装置１１に対して無線送信することのできる正当なユーザのリモコン送信機が複数存在し得る場合などには、無線信号ＷＬ１のなかに収容されて記憶処理装置１１まで届けられる各リモコン送信機のＩＤを記録するためのデータ項目を用意するようにしてもよい。さらにまた、上述したトルクの大きさに関する監視結果を記録するためのデータ項目を用意するようにしてもよい。また、その動作や所定の特別な動作が行われた日時を記録するためのデータ項目、所定の単位時間（例えば、１時間）あたりの動作回数を記録するためのデータ項目、動作速度を記録するためのデータ項目をはじめとした動作関連データ項目を必要に応じて用意するようにしてもよい。
【０１３９】
（Ｂ−１２）なお、上述した実施形態では、開閉システムの運用を開始後、異常動作と判定した際の入力組合せ動作をすべて履歴として記憶するものとして説明したが、履歴情報の記憶開始タイミングを、ユーザＵ１又は保守者が指定できるようにしてもよい。
【０１４０】
例えば、再現性の低い不具合が最初に発生したとき、保守者などが、ログの記録を開始するように、記憶処理装置１１に指定するようにすれば、再現性の低い不具合が、再び発生したときには、十分なログが得られる可能性が高い。このような構成は、ログ記憶部３０の記憶容量の節約にも寄与する。
【０１４１】
これ以外にも、所定の条件（追加条件）を設定し、この追加条件に適合した場合にのみ、ログへの行の追加を行うようにしてもよい。
【０１４２】
また、制御部４３や前記監視用プロセッサに、記憶処理装置１１内及び周辺の各構成要素に関する動作の正常性を判定できる機能を持たせることもできる。その場合には、動作が正常でないと判定されたシャッター動作に関する行のみをログテーブルＴＢ１に追加すること等も可能となる。
【０１４３】
また、１回毎のログ情報同士の区切りは改行でなくてもよく、それが１個のログ情報であることを認識できれば他の方法を用いることができる。例えば、あらかじめ１回毎のログ情報データのビット数を決めておいても良いし、また例えば、１個のログ情報が入力された後に区切りであることを示す情報（例えば、記号、文字等）をログ情報の後に付与する方法などがある。
【０１４４】
なお、数回のログ情報をまとめて（例えば、数桁の数字にして）、それに対応するバーコードをメンテナンス時などに表示するようにしてもよい。また、ログ情報を記憶する記憶装置は、ロール紙などに印刷する出力装置と連携し、ログ情報を記憶する毎にロール紙などに出力するようにしても良い。
【０１４５】
（Ｂ−１３）さらに、上記実施形態では、関係型データベースを用いたが、本発明では、他の型のデータベースを用いることができる可能性もある。
【０１４６】
なお、上記実施形態では、１つの記憶処理装置１１に１つのログ記憶部３０を装着し、記憶処置装置とログ記憶部の対応は１対１であったが、この対応は必ずしも１対１でなくてもかまわない。
【０１４７】
例えば、１つの記憶処理装置が複数のモータ（例えば、前記Ｍ１）を制御することで、複数のシャッターの動作を制御できる構成をとることがあるが、そのケースでは、ログ記憶部３０を各シャッターごとに用意するようにしてもよい。
【０１４８】
（Ｂ−１４）また、ログ記憶部３０をメモリカードとして実現する場合などには、その空き容量が所定の閾値容量以下になったときに、警告メッセージを出力して、ユーザや保守者に、メモリカードの交換などを促すようにしてもよい。
【０１４９】
（Ｂ−１５）なお、上記実施形態の構成要素のいくつかを省略したり、他の機能を持つ構成要素に置換したりしても本発明の効果を得ることは可能である。
【０１５０】
なお、上記実施形態においては主として、スラットシャッターについて本発明を適用したが、本発明はスラットシャッター以外にも、シートシャッターや窓用シャッターやパネルシャッターやグリルシャッターなどその他各種のシャッターに適用することが可能である。
【０１５１】
さらに本発明は、シャッター用としてだけでなく、ドア、窓、オーバーヘッドドア、ロールスクリーン（例えば遮光幕）、ブラインド、オーニング装置などの他の開閉装置や、それらの一部又は全部の混合システムにも適用することが可能である。
【０１５２】
以上の説明で主としてハードウエア的に本発明を実現したが、本発明は、ソフトウエア的に実現することも可能である。
【図面の簡単な説明】
【０１５３】
【図１】実施形態の開閉システムにおける記憶処理装置の構成例とその周辺装置との関係を示すブロック図である。
【図２】実施形態の開閉システムの全体構成例を示す構成図である。
【図３】実施形態のリモコン送信機の外観例を示す概略図である。
【図４】実施形態のリモコン送信機の主要部の構成を示す概略図である。
【図５】実施形態のシャッターの上限位置及び下限位置のカウント動作を説明する説明図である。
【図６】実施形態のシャッターの上限位置及び下限位置のカウント動作を説明する説明図である。
【図７】実施形態の異常判定テーブルの構成例を示す説明図である。
【図８】実施形態の記憶処理装置によるログの記憶処理動作を示すフローチャートである。
【符号の説明】
【０１５４】
１０…開閉システム、１１…記憶処理装置（リモコン受信機）、１２…リモコン送信機、１３…シャッターカーテン、１３Ａ…シャッターカーテン下端部、１４…固定操作部、２１…リミット位置記憶部、２２…比較部、２３…カウンタ部、２４…タイマ部、２５…赤外線受信部、２６…モータ制御部、２７…温度センサ部、２８…記憶管理部、２９…コネクタ部、３０…ログ記憶部、４１…無線受信部、４２…受信処理部、４３…制御部、４３Ａ…入力監視部、４３Ｂ…異常判定テーブル、Ｍ１…モータ、ＴＢ１…ログテーブル、ＰＲ１，ＰＲ２…赤外線ポート、ＩＲＤ…赤外線。
【図１】
0004807989.tif 000002
【図２】
0004807989.tif 000003
【図３】
0004807989.tif 000004
【図４】
0004807989.tif 000005
【図５】
0004807989.tif 000006
【図６】
0004807989.tif 000007
【図７】
0004807989.tif 000008
【図８】
0004807989.tif 000009